(57)【要約】【課題】  個人情報をサーバに記憶することなく情報端末装置に記憶することで個人情報の管理を個人に任せ、個人情報を送信する機会を減少することで個人情報が漏洩する機会を減少させる。【解決手段】  サーバへのアクセス情報、必要とする個人情報の項目を示す暗号化されたデータ、及びマークの認識情報を示す暗号化されたデータをＱＲコードで表したマークを携帯電話のカメラで読取り（１０４）、読取ったデータを復号化し（１０６）、復号化された項目に対応する個人情報を、個人情報を項目毎に暗号化して予め記憶した携帯電話のメモリから検索し（１１８）、個人情報の送信要求があったときに（１２０）、アクセス情報に基づいてサーバにアクセスし、検索した個人情報及びマークの認識情報をサーバに送信し（１２６）、サーバで個人情報の処理を実行した後、サーバ内の個人情報を削除する。【選択図】        図４
2005333379.tif 000002
【特許請求の範囲】
【請求項１】
サーバへのアクセス情報、必要とする個人情報の項目を示す暗号化されたデータ、及びマークの認識情報を示す暗号化されたデータをコードで表したマークを読取って読取データを出力する読取手段と、
前記読取データを復号化する復号手段と、
個人情報を項目毎に暗号化して記憶する記憶手段と、
復号化された項目に対応する個人情報を前記記憶手段から検索する検索手段と、
個人情報の送信要求があったときに、前記アクセス情報に基づいて前記サーバにアクセスし、検索した個人情報及び復号化されたマークの認識情報を前記サーバに送信する送信手段と、
を含む情報端末装置。
【請求項２】
前記マークに、マークの有効期限を示す暗号化されたデータを更に含ませ、前記復号手段で復号化されたマークの有効期限が経過している場合には有効期限が経過していることを報知する報知手段を更に含む請求項１記載の情報端末装置。
【請求項３】
前記送信手段は、前記復号手段で復号化されたマークの有効期限が経過している場合には前記送信を中止する請求項２記載の情報端末装置。
【請求項４】
前記マークに、マークが必要としている個人情報送信用アプリケーションソフトの暗号化されたバージョン番号を含ませると共に、前記記憶手段にアプリケーションソフトの現在のバージョン番号を記憶し、
前記復号手段で復号されたアプリケーションソフトのバージョン番号と現在のバージョン番号とが異なるときにはバージョンアップ処理を実行するバージョンアップ手段を更に含む請求項１または請求項２記載の情報端末装置。
【請求項５】
サーバへのアクセス情報、必要とする個人情報の項目を示す暗号化されたデータ、及びマークの認識情報を示す暗号化されたデータをコードで表したマークを情報端末装置で読取り、
読取ったデータを情報端末装置で復号化し、
復号化された項目に対応する個人情報を、個人情報を項目毎に暗号化して予め記憶した情報端末装置の記憶手段から検索し、
個人情報の送信要求があったときに、前記アクセス情報に基づいて前記携帯端末から前記サーバにアクセスし、検索した個人情報及びマークの認識情報を前記サーバに送信し、
前記サーバで個人情報及びマークの認識情報を一時的に記憶してマークの認識情報に対応して予め定められた処理を実行した後、前記サーバ内の個人情報を削除する
情報端末装置からサーバへの個人情報送信方法。
【発明の詳細な説明】
【技術分野】
【０００１】
本発明は、情報端末装置及び個人情報送信方法に係り、特に、ＱＲコード等の２次元コードで表されたマーク（コードシンボル）を読取って個人情報をサーバに送信する携帯電話等の携帯情報端末装置を含む情報端末装置、及びこの情報端末装置からサーバへ個人情報を送信する個人情報送信方法に関する。
【背景技術】
【０００２】
近年では携帯電話には音声通話だけでなく電子メール機能やインターネット接続機能等のデジタルデータを取り扱える機能が付加され、さらにカメラ付の携帯電話が登場し、写真を撮影したり画像をネットワークを介して伝送可能な機種も多く見受けられる。
【０００３】
そして、最近の携帯電話では、高解像度のカメラで撮影された画像の画像処理により１次元のバーコードシンボル、またはＱＲコード等の２次元コードシンボルを携帯電話のカメラで撮影することにより、そのデータを解析しコードによって表された接続先にネットワークを介して接続する機能が付加された機種が販売されている。また、データをダウンロードして携帯電話の電話帳に記憶したり、アドレスを携帯電話のブックマークに記録したり、またはメールアドレスにメールを送信したりする等の機能が付加された機種も販売されている。
【０００４】
上記のように、既に２次元コードを利用したサービスも見かけるようになり、また今後発売される略全てのカメラ付携帯電話は２次元コード解読機能が搭載されると考えられるため、ますます携帯電話と２次元コードを利用した数々のサービスが展開されると考えられる。
【０００５】
２次元コードを使用すれば、携帯電話で２次元コードを読取るだけで簡単に特定のＵＲＬ等にアクセスすることができる。しかしながら、通常ＵＲＬに接続するだけでは、画面に情報が表示されるだけであり、接続したＵＲＬから実質的に有用なサービスを受けるためには、個人を特定する認識番号等を含む個人情報が必要となることが多い。例えば、資料を請求する、携帯電話から物品を購入する、有料コンテンツをダウンロードする、得点やポイント・クーポン等を取得する、キャンペーンや募集に応募する、またはアンケートに答える等、この種のサービスは個人を特定する個人情報（住所、氏名、電話番号、クレジットカードのナンバー、個人特定認識番号等）を要求されることが多く、現状の場合ユーザーはその都度要求される個人情報を携帯電話から入力する必要があり、慣れていないユーザの場合には数十分、慣れたユーザでも十分程度時間がかかり、要求された個人情報を送信する作業は非常に面倒な作業になっている。
【０００６】
この問題を解消するために、サーバに多数の個人情報を記憶しておいて携帯電話からのユーザの要求に応じてユーザの個人情報を携帯電話に送信し、携帯電話から個人情報要求先のサーバに送信することが提案されている。また、暗号化二次元バーコードを用いて個人情報等の情報をバーコード発行サーバから送信することが提案されている（特許文献１）。
【特許文献１】特開２００４−４６７８１号公報
【発明の開示】
【発明が解決しようとする課題】
【０００７】
しかしながら、サーバに個人情報を記憶しておく従来技術では、個人情報漏洩防止のためにサーバを管理する必要があり、このサーバの管理が充分でないと個人情報が漏洩する虞が生じる。また、従来技術では、個人情報をサーバに記憶する際、個人情報をサーバから読み出す際、及び読み出した個人情報を他のサーバに送信する際に、個人情報が無線等によって外部に送信されるため、個人情報が漏洩可能な機会が多くなる、という問題がある。
【０００８】
本発明は、上記問題点を解消するためになされたもので、個人情報を情報端末装置に記憶することで個人情報の管理を個人に任せ、個人情報を送信する機会を減少することで個人情報が漏洩する機会を減少させた情報端末装置、及びこの情報端末装置を利用して情報端末装置からサーバへ個人情報を送信する個人情報送信方法を提供することを目的とする。
【課題を解決するための手段】
【０００９】
上記目的を達成するために本発明は、サーバへのアクセス情報、必要とする個人情報の項目を示す暗号化されたデータ、及びマークの認識情報を示す暗号化されたデータをコードで表したマークを読取って読取データを出力する読取手段と、前記読取データを復号化する復号手段と、個人情報を項目毎に暗号化して記憶する記憶手段と、復号化された項目に対応する個人情報を前記記憶手段から検索する検索手段と、個人情報の送信要求があったときに、前記アクセス情報に基づいて前記サーバにアクセスし、検索した個人情報及び復号化されたマークの認識情報を前記サーバに送信する送信手段と、を含んで構成したものである。
【００１０】
本発明によれば、サーバへのアクセス情報、必要とする個人情報の項目を示す暗号化されたデータ、及びマークの認識情報を示す暗号化されたデータをコードで表したマークを情報端末装置で読取り、読取ったデータを情報端末装置で復号化し、復号化された項目に対応する個人情報を、個人情報を項目毎に暗号化して予め記憶した情報端末装置の記憶手段から検索し、個人情報の送信要求があったときに、前記アクセス情報に基づいて前記携帯端末から前記サーバにアクセスし、検索した個人情報及びマークの認識情報を前記サーバに送信する。
【００１１】
サーバでは、個人情報及びマークの認識情報を一時的に記憶してマークの認識情報に対応して予め定められた処理を実行した後、サーバ内の個人情報を削除する。
【００１２】
本発明によれば、情報端末装置に個人情報を記憶してマークの読取により得られた項目に対応する個人情報を読み出して送信しているので、個人情報の管理はユーザ個人に任されることになり、個人情報の漏洩を防止して個人情報の送信を簡単に行なうことができる。
【００１３】
また、サーバ内の個人情報を削除しているので、サーバでの個人情報の管理が不要になる。
【００１４】
本発明では、マークに、マークの有効期限を示す暗号化されたデータを更に含ませ、前記復号手段で復号化されたマークの有効期限が経過している場合には有効期限が経過していることを報知する報知手段を更に設けてもよい。
【００１５】
この場合、送信手段は、前記復号手段で復号化されたマークの有効期限が経過している場合には前記送信を中止するようにすることができる。
【００１６】
さらに、マークに、マークが必要としている個人情報送信用アプリケーションソフトの暗号化されたバージョン番号を含ませると共に、前記記憶手段にアプリケーションソフトの現在のバージョン番号を記憶し、前記復号手段で復号されたアプリケーションソフトのバージョン番号と現在のバージョン番号とが異なるときにはバージョンアップ処理を実行するバージョンアップ手段を更に設けてもよい。
【発明の効果】
【００１７】
以上説明したように本発明によれば、情報端末装置に個人情報を記憶してマークの読取により得られた項目に対応する個人情報を読み出して送信しているので、個人情報の管理はユーザ個人に任されることになり、個人情報の漏洩を防止して個人情報の送信を簡単に行なうことができる、という効果が得られる。
【発明を実施するための最良の形態】
【００１８】
以下、図面を参照して本発明の実施の形態を詳細に説明する。
【００１９】
図１に示すように、本実施の形態の個人情報通信システムは、Ｊａｖａ（登録商標）言語等で作成された個人情報送信用アプリケーションソフト（アプリケーションプログラム）を配布する会社内に設けられたサーバ１０、個人情報の収集を依頼したクライアントの会社に設けられたサーバ１２、クライアントの依頼に基づいて携帯電話を利用して個人情報を収集し、収集した個人情報を依頼元クライアントの会社に設けられているサーバ１２に送信する個人情報収集・配信サーバ１４を備えている。
【００２０】
サーバの各々は、モデム、ルータ、またはＴＡ（ターミナルアダプタ）等の接続装置を介して、インターネット等のネットワーク１６に接続されている。
【００２１】
また、ネットワーク１６には、デジタル携帯電話網等のネットワークを介して送受信センタ（例えば、ｉモードセンタ）１８が接続され、送受信センタ１８にはアンテナを備えた基地局２０が接続されている。
【００２２】
この個人情報通信システムのユーザは、通常、ｉモード等のデータ送受信機能及びＱＲコードで表されて用紙等の媒体に印刷されたマーク（シンボル）２４を読取るカメラ２２Ｆを備えた携帯電話２２を携帯している。この携帯電話２２には、バーコードを読取る標準のバーコードリーダが内蔵されている。
【００２３】
個人情報収集・配信サーバ１４には、図２に示すように、予め記憶した図６に示す処理ルーチンに従ってサーバ全体の制御を行なうＣＰＵ（中央処理装置）１４Ａ、この処理ルーチンのプログラムを記憶したＲＯＭ及び個人情報等の処理の際にワークエリアとして使用されるＲＡＭを備えたメモリ１４Ｂ、マークを識別するための認識情報であるマークの認識番号に応じた個人情報の処理方法等のデータを記憶したデータベース１４Ｃ、及びデータを入出力するための入出力ポート１４Ｄが設けられている。これらのＣＰＵ１４Ａ、メモリ１４Ｂ、データベース１４Ｃ、及び入出力ポート１４Ｄは、データバスやコントロールバス等のバスを介して相互に接続されている。
【００２４】
データベース１４Ｃには、各マークを特定する複数のマークの認識番号、及びマークの認識番号毎にマークの認識番号と対応付けられた情報及び指定された処理方法等が記憶されている。
【００２５】
マークの認識番号と対応付けられた情報としては、マークの記載メディア、マークの記載物、記載場所、記載期日、期間、最終クライアント名、代理店（マーク、サービスの販売代理店）名、ＱＲコードの機能（例えば、資料請求、アンケート調査、ポイントゲット等）、ポイントの付け方、ＱＲコードによるサービスの請求先会社名、データの送り先、データの送信方法、サービスの単価、サービスの期間等を用いることができる。
【００２６】
また、指定された処理方法としては、送信されてきた個人情報のデータを指定された場所に送信する、別のサーバーとデータのやり取りをする、ユニークな画面を生成しユーザー側で目視できるようにする、個人情報送信用アプリケーションソフトのユニーク番号（個人を識別するための識別情報である認識番号）を元にその個人にポイントを貯める、そのＱＲコードによるサービスの請求金額を合算する等がある。
【００２７】
入出力ポート１４Ｄは、ネットワークに接続された他のサーバ等の機器とネットワークを介して通信を行う通信制御ユニット１４Ｅを介してネットワーク１６に接続されている。
【００２８】
また、携帯電話２２には、図３に示すように、個人情報送信用アプリケーションソフト、及び個人情報送信用アプリケーションソフトの登録画面から入力した個人情報等を記憶するメモリ２２Ａ、メモリ２２Ａに記憶された個人情報送信用アプリケーションソフトに従って個人情報の記憶及び個人情報の送信等の処理を行なうＣＰＵ２２Ｂ、データの送受信を行なう送受信部２２Ｃ、情報を表示するＬＣＤ表示部Ｄ、確定キーやテンキー等を備えたキー操作部２２Ｅ、及びマーク撮影してＱＲコードを読取るためのカメラ２２Fが設けられている。
【００２９】
個人情報としては、郵便番号、住所、氏名、年齢、性別、携帯電話番号、自宅電話番号、性別、携帯電湾のメールアドレス、パソコンのメールアドレス、クレジットカードの番号、クレジットカードの有効期限、クレジットカードのアルファベット氏名等を用いることができる。メモリは、これらの項目毎に、個人情報送信用アプリケーションソフトによって各項目に対応した情報を記憶することが可能になっている。この項目は、削除及び追加することができる。個人情報を入力した場合、項目に応じた個人情報をメモリに記憶しておくか否かはユーザーが自由に選択することができる。
【００３０】
メモリには、個人情報自体が暗号化されて記憶され、予めユーザーにより設定された暗証番号を入力した後、閲覧、修正、変更、及び追加等を行なうことができる。これにより、携帯電話を紛失した場合等に個人情報を保護することができる。また、個人情報送信用アプリケーションソフトをダウンロードして解析しても、個人情報は暗号化されているので個人情報が漏洩しないようにすることができる。
【００３１】
この個人情報は、後述するように、マークにＱＲコードで記載された項目に応じて、該当する個人情報を検索することができる。マークには、個人情報に関しては必要な個人情報の項目のみが記載されているため、必要なものだけが検索される。
【００３２】
携帯電話のカメラで撮影される図１に示すマーク２４には、ＱＲコードで表されたサーバーアドレスが記録されると共に、必要とする個人情報の項目、マークの認識番号、マークの有効期限、このマークが必要としているアプリケーションソフトのバージョン番号、及び、初回配布会社番号（存在しない場合は予め定めた特定の会社の番号）に関する情報がＱＲコードで表され、かつ暗号化されて記録される。
【００３３】
マークは主として用紙に印刷されるためコピー等が簡単であり、また生成もフリーソフト等で簡単にできる特徴を備えているにで、内容を改ざんして配布したりすることも容易になる。そのため、セキュリティーを要求される場合や、課金が前提となる場合等は記載されているデータが直接分からないようにマークのデータはサーバヘのアクセス情報を除いてすべて暗号化されている。
【００３４】
また、マーク２４の下辺に沿ってそのマークが目視で識別できるように目視識別番号２６が印刷されている。この目視識別番号２６は、マーク２４とペアで扱われる。携帯電話や特別なリーダーが無い場合、2次元コードは、そのコードに何が記載されているか全くわからないので、校正やチェック時に目視識別できる目視識別番号２６が必要となる。
【００３５】
このマークは、必要な事項が記述されたシートを元に、マーク生成アプリケーションソフトで生成されるか、条件が整えば（登録された会社等）Web等を使って自由に生成できるようにする。また、マークは用紙等に印刷されるだけでなく、パソコンやテレビ等の画面に表示することも可能で、特にパソコンの画面等に表示される場合、さらにアクティブにマークを生成することにより、より深いサービスを展開することができる。
【００３６】
以下、本実施の形態の個人情報をサーバに送信するために携帯電話のＣＰＵで実行される処理ルーチン及びサーバのＣＰＵで実行される処理ルーチンの各々について説明する。
【００３７】
カメラモードを起動してカメラをマークに向けて携帯電話２２のキー操作部２２Ｅに設けられている確定キーをオン操作すると、撮影動作が開始されると共に、メモリ２２Ａに記憶されている処理ルーチンのプログラムが起動される。ステップ１００において、メモリ２２Ａに個人情報送信用アプリケーションソフトが記憶されているか否かが判断され、個人情報送信用アプリケーションソフトが記憶されていない場合には、ステップ１０２において以下で説明するように個人情報送信用アプリケーションソフトをダウンロードして初期登録処理を実行する。この時マークに記載された初回配布会社番号が登録された個人情報送信用アプリケーションソフトがダウンロードされる。
【００３８】
まず、図５を参照して、ステップ１０２の初期登録処理について説明する。ステップ１３０において、カメラでマークを撮影することにより、携帯電話に標準で搭載されているバーコードリーダを用いて二次元コードを読取る。この場合、携帯電話には、暗号解読ソフトが格納されておらず、サーバのアドレス以外は暗号化されているので、サーバのアドレス以外は復号化することはできない。
【００３９】
次のステップ１３２では、読取ったサーバのアドレスに自動的にアクセスしてサーバに接続する。サーバに接続すると、サーバから個人情報送信用アプリケーションソフトのダウンロード要求指示とアプリケーションソフトの使用許諾に同意するか否かの問い合わせデータとが送信され、受信されたデータはステップ１３４において携帯電話のＬＣＤ表示部に表示される。携帯電話のユーザは、ダウンロードの要求及び使用許諾に同意する場合には、確定キーを操作してＬＣＤ表示部に表示されているダウンロードボタン及び同意ボタンをオンし、ダウンロードの要求に応じない場合または使用許諾に同意しない場合には非同意ボタンをオンする。ステップ１３６で非同意ボタンがオンされたと判断された場合には、ステップ１３８においてその後の処理を中止するためにアプリケーションソフトのダウンロード処理を終了する。
【００４０】
ステップ１３６でダウンロードボタン及び同意ボタンがオンされたと判断された場合には、ステップ１４０において個人情報登録画面情報を含む個人情報送信用アプリケーションソフトのダウンロード処理を実行し、ステップ１４２においてダウンロードが終了したか否かを判断する。ダウンロードが終了していない場合には、ステップ１３４に戻って再度ダウンロード処理を要求し、ダウンロードが終了した場合には、ステップ１４４においてマークで記録されたＱＲコードが要求している項目に対応する個人情報を登録するための登録画面をＬＣＤ表示部２２Ｄに表示する。携帯電話のユーザは、この表示された登録画面から項目毎にユーザ自身の個人情報を入力して、メモリに記憶、すなわち登録する。これにより、メモリには個人情報が項目毎に記憶されると共に、個人情報をサーバに送信するための個人情報送信用アプリケーションソフトがメモリに記憶される。また、個人情報送信用アプリケーションソフトのユニーク番号（個人認識番号）、このソフトの初回配布会社番号、及びこのソフトのバージョン番号が同時にダウンロードされるため、これらの情報が携帯電話のメモリに記憶される。
【００４１】
以上のように、初期登録処理で個人情報送信用アプリケーションソフトをダウンロードすると、個人情報を登録する画面になり、ユーザは各々の項目に個人情報を入力していくが、このときそのマークが要求している個人情報の入力を必須にする必要があるが、それ以外の項目について入力するか否かはユーザが自由に決めることができる。
【００４２】
なお、初期登録処理で個人情報を入力したくない場合は、サービスが受けられなくなるが、サービスを受けたいが個人情報を携帯電話に記憶したくない場合には、一旦登録して送信した後、アプリケーションソフトと共に個人情報を消去する方法を取ることもできる。
【００４３】
このように、必要とされた個人情報がまだメモリに記憶（登録）されてない場合には、その旨を表示し登録されるが、この場合、今回だけ個人情報を入力する、何もしないで中止する等を選択できるようにするのが好ましい。
【００４４】
一方、図４のステップ１００においてアプリケーションソフトがメモリに記憶されていると判断された場合には、ステップ１０４において個人情報送信用アプリケーションソフトを起動し、カメラによってＱＲコードを表したマークを撮影することによりＱＲコードを読取る。ＱＲコードのサーバアドレス以外のデータは暗号化されているので、ステップ１０６において読取った暗号化されているデータを復号化する。
【００４５】
ステップ１０８において、復号化されたＱＲコードの有効期限情報に基づいて、マークが有効期限内のマークか否かを判断し、有効期限内のマークで無い場合は、ステップ１２８に進んで有効期限が経過したマークであることをＬＣＤ表示部２２Ｄに表示すると共に、その後の処理を中止するために個人情報送信用アプリケーションソフトを終了する。
【００４６】
一方、マークが有効期限内の場合は、ステップ１１０において、マークが必要としているアプリケーションソフトのバージョン番号情報とメモリに記憶されているバージョン番号とを比較し、ステップ１０４で起動したアプリケーションソフトのバージョンアップを行なう必要があるか否かを判断し、マークが必要としているアプリケーションソフトのバージョン番号が起動したアプリケーションソフトのバージョン番号と一致していてバージョンアップを行なう必要がない場合にはステップ１１８に進む。
【００４７】
一方、起動したアプリケーションソフトのバージョン番号がマークが必要としているアプリケーションソフトのバージョン番号より古くてバージョンアップの必要がある場合には、ステップ１１２において、マークに含まれているサーバアドレスに基づいてサーバ１４にアクセスし、バージョンアップの要求を行なう。バージョンアップの要求を行なうと、サーバから使用許諾に同意するか否かの問い合わせデータが送信され、受信した使用許諾に同意するか否かの問い合わせデータが携帯電話のＬＣＤ表示部に表示されるため、携帯電話のユーザは使用許諾に同意する場合には、確定キーを操作してＬＣＤ表示部に表示されている同意ボタンをオンし、使用許諾に同意しない場合にはＬＣＤ表示部に表示されている非同意ボタンをオンする。非同意ボタンがオンされた場合には、ステップ１２８においてその後の処理を中止するためにアプリケーションソフトを終了する。
【００４８】
同意ボタンがオンされた場合には、バージョンアップ処理を実行し、ステップ１１６においてバージョンアップが終了したか否かを判断する。バージョンアップが終了していない場合には、ステップ１１２に戻って再度バージョンアップを要求する。
【００４９】
これにより、マークが要求しているバージョンが、現在のアプリケーションソフトのバージョンでは対応できない場合には、バージョンアップ要求をユーザーに知らせ、同意が得られた場合に自動的に最新バージョンのアプリケーションソフトがダウンロードされる。この場合、登録された個人情報、初回配布会社番号、アプリケーションソフトのユニーク番号は自動的に新アプリケーションソフト対応するように記憶される。
【００５０】
バージョンアップが終了した場合には、ステップ１１８においてマークが要求している個人情報の項目を示す情報をＬＣＤ表示部２２Ｄに表示する。携帯電話のユーザは、この表示された個人情報の項目を示す情報を目視で確認し、項目に対応する個人情報を送信することに同意する場合はステップ１２０で確定キーを操作してＬＣＤ表示部に表示されている送信ボタンをオンし、項目に対応する個人情報の送信に同意しない場合にはＬＣＤ表示部に表示されている中止ボタンをオンする。
【００５１】
ＬＣＤ表示部２２Ｄには、個人情報自体でなく個人情報の項目のみが表示されるので、ＬＣＤ表示部を他人に見られた場合であっても個人情報の漏洩を防止することができる。
【００５２】
中止ボタンがオンされた場合には、ステップ１２８でにおいてその後の処理を中止するためにアプリケーションソフトを終了する。一方、送信ボタンがオンされた場合には、ステップ１２２において、マークが要求している個人情報の項目に対応する個人情報をメモリ２２Ａから検索して抽出し、ステップ１２２においてマークが要求している個人情報の項目に対応する個人情報が全て抽出されたか否かを判断する。
【００５３】
要求されている項目に対応する個人情報が全て抽出されない場合、すなわち要求されている項目に対応する個人情報が不足している場合には、ステップ１２４において情報が不足している項目をＬＣＤ表示部に表示し、表示した項目に対応する個人情報を入力するようにユーザに要求する。この要求に応じてユーザが不足している情報を入力して送信ボタンをオンすると、ステップ１２０からステップ１２２に進んで、ステップ１２２において要求されている個人情報の項目に対応する個人情報が全て存在すると判断され、ステップ１２６において、要求されている項目、要求されている項目に対応する個人情報、マークを読取ることによって得られたマークの認識番号、個人情報送信用アプリケーションソフトのユニーク番号（個人認識番号）、及び初回配布会社番号の情報をサーバに送信する。
【００５４】
次に、図６を参照して上記のようにして携帯電話から送信されたデータを受信したサーバ１４の処理ルーチンについて説明する。ステップ１５０において携帯電話からデータを受信したか否かを判断し、データを受信した場合には、ステップ１５２においてマークの認識番号（識別番号）を受信したか否かを判断する。マークの認識番号を受信した場合は、暗号化されたマークの認識番号が解読されてサーバに送信された場合であるので、既に個人情報送信用アプリケーションソフトは携帯端末にダウンロードされていると判断し、ステップ１５６に進む。
【００５５】
一方、マークの認識番号を受信していない場合は、携帯電話からのダウンロード要求、またはバージョンアップ要求であるので、ステップ１５４において携帯電話からのダウンロード要求の場合はダウンロード処理を実行し、携帯電話からのバージョンアップ要求である場合はバージョンアップ処理を実行する。
【００５６】
ステップ１５６では、受信したマークの認識番号に基づいてデータベースを検索し、マークの認識番号に対応して指定された処理方法を検索し、携帯電話から送信された個人情報等のデータをどのように処理すればよいかを判断する。そして、ステップ１５８〜ステップ１６４で例示するようにマークの認識番号に対応して指定された処理方法を実行する。まず、ステップ１５８では、送信された個人情報を指定された場所（例えば、クライアントのサーバ）に送信する。
【００５７】
次のステップ１６０では、ユーザに対する課金処理を行なう。課金処理としては、トランザクション課金（例えば、アクセス１回に付いての料金を予め定めておいて課金する）を行なう。この場合、前回の課金が存在する場合には、今回のサービスの請求金額を合算する処理を行なう。次のステップ１６２では、最初に個人情報送信用アプリケーションソフトを配布した会社を示す初回配布会社番号に対して、インセンティブを与える処理を実行する。インセンティブの与え方としては、初回にアプリケーションソフトを配布した会社に対してトランザクションフィーの何割かをバックする等を採用することができる。これによって、早くアプリケーションソフトを配布した会社は他社のためのアプリケーションソフトであってもそのアプリケーションソフトが利用されれば利用されるだけ利益を生むので、アプリケーションソフトを効率よく普及させることができる。
【００５８】
すなわち、インセンティブを与えることにより、種々の会社がアプリケーションソフトを使用すればするだけ、アプリケーションソフトが普及し、その結果マークへのアクセスが増加し、使用するすべての会社が利益を享受できる。最初にアプリケーションソフトをユーザーにダウンローダーさせた会社は、他社のサービスでこのソフトが使用されても、使用料が得られるので、アプリケーションソフトをより普及させることができる。
【００５９】
そして、ステップ１６４では、個人情報送信用アプリケーションソフトを利用したユーザに対してもインセンティブを与えるために、アプリケーションソフトのユニーク番号（個人認識番号）に対してポイントを加算する処理を実行する。これにより、ユーザーが使えば使うだけポイントが加算される。
【００６０】
ステップ１５８〜ステップ１６４の指定された処理方法は、例示であり、その他、別のサーバーとデータをやり取りする、またはユニークな画面を生成しユーザー側で目視できるようにする等の処理を行なうようにしてもよい。
【００６１】
次のステップ１６６では、指定された処理の実行を全て終了したか否かを判断し、終了していない場合には指定された処理を継続して実行し、処理が終了した場合にはステップ１６８において個人認識番号（アプリケーションソフトのユニーク番号）以外の個人情報を消去する。
【００６２】
ここで、個人認識番号以外の個人情報を消去しているので、個人情報はサーバに一時的に記憶されるものの長期に亘ってサーバに記憶されなくなるので、サーバでの個人情報漏洩防止の管理が不要になり、個人情報を預かった場合に生じるリスクを低減することができる。これによって、個人情報はあくまでユーザ個人が管理（個人情報はサーバーで記憶しない）することになる。
【００６３】
なお、上記では、情報端末装置として、携帯情報端末装置である携帯電話を用いる例について説明したが、携帯電話に限らず、パソコンとスキャナーとを接続して2次元コードを読取る機能を備た端末を用いるようにしてもよい。
【００６４】
本実施の形態は、継続購入支援に使用することができる。例えば、ある雑誌に毎号異なるマークを印刷しておいて、ユーザが購入する毎にそのマークからサーバにアクセスすることにより、雑誌社はそのユーザが何回継続して購入してくれたかが、簡単に即座に確認することができ、プレゼント等のプレミアムにより継続購入のインセンティブを与えることができる。
【００６５】
また、クーポンの発行による購入支援（本機能を使えば、特定の個人クーポンが簡易に発行でき、またその情報を発行会社が管理することにより、より積極的な販売活動を行なうことができる。
【図面の簡単な説明】
【００６６】
【図１】本発明の実施の形態の個人情報送信システムを示す概略図である。
【図２】図１のサーバの概略を示すブロック図である。
【図３】図１の携帯電話の概略を示すブロック図である。
【図４】携帯電話で実行される個人情報送信ルーチンを示す流れ図である。
【図５】図４の初期登録処理ルーチンを示す流れ図である。
【図６】サーバで実行されれ処理ルーチンを示す流れ図である。
【符号の説明】
【００６７】
１４  サーバ
２２  携帯電話
２４  マーク
【図１】
2005333379.tif 000003
【図２】
2005333379.tif 000004
【図３】
2005333379.tif 000005
【図４】
2005333379.tif 000006
【図５】
2005333379.tif 000007
【図６】
2005333379.tif 000008